【事件の表示】
　特願２０１４−　９０３４５「遊技機」拒絶査定不服審判事件〔平成２７年１１月２４日出願公開、特開２０１５−２０８３９７〕について、次のとおり審決する。
【結　論】
　本件審判の請求は、成り立たない。
【理　由】
第１　手続の経緯 
　本願は、平成２６年４月２４日に特許出願されたものであって、平成２７年５月２１日付けで拒絶理由通知がなされ、これに対し同年７月２４日付けで意見書及び手続補正書が提出され、同年８月２１日付けで最後の拒絶理由通知がなされ、これに対し同年１０月２０日付けで意見書及び手続補正書が提出されたが、平成２８年１月２９日付け（発送日：平成２８年２月１９日）で、平成２７年１０月２０日付け手続補正が却下されるとともに、拒絶査定がなされ、これに対し平成２８年５月１３日付けで拒絶査定不服審判の請求がなされるとともに手続補正（以下、「本件補正」という。）がなされたものである。
  
第２　本件補正についての補正却下の決定 
［補正却下の決定の結論］ 
　本件補正を却下する。 
 
［理由］ 
１．本件補正の概要 
　平成２７年１０月２０日付けの手続補正は既に却下されている。そして、本件補正は特許請求の範囲の請求項１の記載の補正を含む補正であり、平成２７年７月２４日付けの手続補正と本件補正の特許請求の範囲の請求項１の記載はそれぞれ、以下のとおりである（下線部は補正箇所を示す。）。
　補正前（平成２７年７月２４日付け手続補正）
 「【請求項１】 
　始動条件の成立により、内部判定を行うとともに図柄の変動及び停止を行い、図柄の組み合わせが所定の態様で停止表示された場合に遊技利益を付与する遊技機において、
　円筒状の構造を有し、周面に複数の前記図柄が付されたリールと、
　前記リールの内部に配置され、前記図柄に光を照射する複数の発光素子と、
　前記発光素子の発光を制御する発光制御手段と、を備え、
　前記発光制御手段は、前記複数の発光素子のうち第１のグループに含まれる発光素子が発光を行う第１の発光形態と、前記複数の発光素子のうち第２のグループに含まれる発光素子が発光を行う第２の発光形態と、にて発光の制御が可能であり、前記リールに付された図柄のうち少なくとも所定の図柄が停止表示されることに基づいて、前記第２の発光形態によって前記所定の図柄に光を照射させる演出をおこなう
　ことを特徴とする遊技機。」 
　補正後（本件補正である平成２８年５月１３日付け手続補正） 
「【請求項１】 
　始動条件の成立により、内部判定を行うとともに図柄の変動及び停止を行い、図柄の組み合わせが所定の態様で停止表示された場合に遊技利益を付与する遊技機において、
　円筒状の構造を有し、周面に複数の前記図柄が付されたリールと、
　前記リールの内部に配置され
るハウジングであって、１つの前記図柄の範囲に対応する大きさの開口が形成されたハウジングの内部に配置され、前記開口から
　前記発光素子の発光を制御する発光制御手段と、を備え、
　前記発光制御手段は、前記複数の発光素子のうち第１のグループに含まれる発光素子が発光を行う第１の発光形態と、前記複数の発光素子のうち第２のグループに含まれる発光素子が
所定の条件を満たすように発光態様を変化させる
　ことを特徴とする遊技機。」 
  
２．補正の適否 
　本件補正によって、補正後の請求項１は、補正前の請求項１に記載された発明特定事項である「複数の発光素子」について、「前記リールの内部に配置され」ることを、「前記リールの内部に配置されるハウジングであって、１つの前記図柄の範囲に対応する大きさの開口が形成されたハウジングの内部に配置され」ることに限定し、また、「前記図柄に光を照射する」ことに「前記開口から」という限定が付された。
　また、本件補正によって、補正後の請求項１は、補正前の請求項１に記載された発明特定事項である「発光制御手段」が「発光の制御が可能であ」る「前記複数の発光素子のうち第２のグループに含まれる発光素子」の「第２の発行形態」について、「発光を行う」ことから「所定の条件を満たすように発光態様を変化させる」ことに特定された。
　そうすると、補正後の請求項１に係る発明は、補正前の請求項１に係る発明と、産業上の利用分野及び解決しようとする課題が同一であるので、本件補正は、特許法第１７条の２第５項第２号に規定する「特許請求の範囲の減縮」を目的とする補正に該当する。 
　そして、本件補正は、明細書の段落【０００８】、【０４１３】〜【０４３３】及び図３６〜３８等に基づいており、新たな技術的事項を導入するものではなく、特許法第１７条の２第３項の規定に適合する。 
３．独立特許要件 
　そこで、本件補正後の請求項１に記載された発明が特許出願の際に独立して特許を受けることができるものであるか否か、すなわち、特許法第１７条の２第６項において準用する同法第１２６条第７項の規定に適合するか否か、について以下において検討する。 
  
（１）本件補正後の請求項１に係る発明
　補正後の請求項１に係る発明（以下、「本願補正発明」という。）は、上記１．で示した特許請求の範囲の補正後の請求項１に記載されたとおりのものである。 
（２）刊行物に記載された事項
　本願の出願前に頒布された刊行物である特開２００９−１９５４２０号公報（以下、「刊行物１」という。）には、図面と共に次の事項が記載されている（下線は、当審にて付した。）。 
  
ア　「【００４８】
　…
（図３のスロットマシン10の正面図の説明）
　図３中、10は、スロットマシンを示すものである。
　なお、
遊技機
イ　「【００５８】
　…
　
リールドラム200には、図５
に示すように、次の構成を備える
　なお、リールドラム200の構成は、次の（１）〜（３）に限定されない。
 　　　（１）ハウジング300
　
ハウジング300は
前面側に開口して形成される
【００５９】
        （２）区画室301〜303
  
区画室301〜303は
図柄220の間隔に合わせてハウジング300内を仕切って形成した
  区画室は、図５及び図７に示すように、ハウジングを上下方向に仕切ることで、各区画室内に配置された発光素子の間の光を遮るものである。」
ウ　「【００６１】
　　　　　（３）発光素子（ＬＥＤ）
　
発光素子は
各区画室301〜303内に
配置され
各図柄220を個別に照明可能な複数行
及び複数列
から構成されたものである
　発光素子としては、例えばＬＥＤを使用する。なお、発光素子として、ＬＥＤを例示したが、これに限定されず、電球や蛍光灯等でも良い。
（リールテープ210）
　
リールテープ210は
リールドラム200の外周に
設けられる
【００６２】
　複数個の各リールテープ210には、例えばポリカーボネート等の透光性を有する素材が使用される。
　複数個の各
リールテープ210
表面に
複数種類の図柄が
表示されている
エ　「【００８３】
　具体的には、リール停止制御手段1120は、
スタートスイッチ70の操作にもとづいて、リール31〜33の回転を開始させ
オ　「【００８５】
　…
（利益付与手段1150）
　利益付与手段1150は、表示窓20に
停止表示された３個のリール31〜33の図柄の組み合わせが、予め設定された所定の図柄の組み合わせに一致している場合に、予め設定された所定の枚数のメダルを払い出す
  
カ　「【００８７】
　…
（発光制御手段1240）
　
発光制御手段1240は
複数行及び複数列の発光素子を個別に点灯制御可能なものである
キ　「【００８９】
　まず、
メダルが投入されると、発光素子320の全てが点灯する
　
このとき
メイン制御手段1100の遊技結果抽選手段1110により遊技結果が抽選される
　遊技結果は、信号送信手段1160により、サブ制御手段1200の信号受信手段1210に送信される。
【００９０】
　左側のストップスイッチ80が操作されると、リール停止制御手段1120により左側のリール31が停止される。
　当該左側のリール31の停止後に、遊技結果が所定の場合、例えばＢＢ移行役の当選であり、ＢＢ図柄が表示窓20に停止表示された場合には、全ての発光素子320を消灯した後、部分発光手段1241が、停止表示されたＢＢ図柄の発光部240〜247のうち１個の発光部240〜247の裏側に位置する発光素子320を点灯して、残る発光素子320を消灯させる。
【００９１】
　具体的には、図１に示すように、
「７」図柄が停止表示された場合は、一旦全ての発光素子320を消灯した後、「７」図柄の星形の発光部240〜247の裏側に位置する発光素子320のうち、まず、
発光部240の裏側に位置する発光素子320を点灯し、次に発光部240の裏側に位置する発光素子320の消灯と同時に発光部241の裏側に位置する発光素子320を点灯し、次に発光部241の裏側に位置する発光素子320の消灯と同時に発光部243の裏側に位置する発光素子320を点灯させる等、発光部240〜247の裏側に位置する発光素子320の点灯・消灯を一方向に順番に行う制御により、星が時計回りに円を描くように回転しているように見せる
ク　図５から、
ハウジング300がリールドラム200の内部に配置されている
　上記記載事項ア〜クを総合すると、刊行物１には、次の発明（以下、「引用発明１」という。）が記載されていると認められる。 
  
 「スタートスイッチ70の操作にもとづいて、リール31〜33の回転を開始させ（【００８３】）、このとき、メイン制御手段1100の遊技結果抽選手段1110により遊技結果が抽選され（【００８９】）、停止表示された３個のリール31〜33の図柄の組み合わせが、予め設定された所定の図柄の組み合わせに一致している場合に、予め設定された所定の枚数のメダルを払い出す（【００８５】）遊技機（【００４８】）において、
　複数種類の図柄が表面に表示されているリールテープ210が外周に設けられるリールドラム200（【００６１】、【００６２】）と、
　リールドラム200の内部に配置され、前面側に開口して形成されるハウジング300（【００５８】）であって、図柄220の間隔に合わせてハウジング300内を仕切って形成した各区画室301〜303（【００５９】）内に配置され、各図柄220を個別に照明可能な複数行及び複数列から構成された発光素子320（【００６１】、ク）と、
　複数行及び複数列の発光素子を個別に点灯制御可能な発光制御手段1240（【００８７】）と、を備え、
　メダルが投入されると、発光素子320の全てが点灯し（【００８９】）、
　「７」図柄が停止表示された場合は、一旦全ての発光素子320を消灯した後、「７」図柄の星形の発光部240〜247の裏側に位置する発光素子320のうち、まず、発光部240の裏側に位置する発光素子320を点灯し、次に発光部240の裏側に位置する発光素子320の消灯と同時に発光部241の裏側に位置する発光素子320を点灯し、次に発光部241の裏側に位置する発光素子320の消灯と同時に発光部243の裏側に位置する発光素子320を点灯させる等、発光部240〜247の裏側に位置する発光素子320の点灯・消灯を一方向に順番に行う制御により、星が時計回りに円を描くように回転しているように見せる（【００９１】）
　遊技機（【００４８】）。」 
  
（３）対比・判断 
 　本願補正発明と引用発明１とを対比する。 
  
ア　引用発明１の「スタートスイッチ70の操作」、「メイン制御手段1100の遊技結果抽選手段1110により遊技結果が抽選され」ること及び「予め設定された所定の枚数のメダルを払い出す」ことがそれぞれ、本願補正発明の「始動条件の成立」、「内部判定」、「遊技利益を付与する」ことに相当する。
　したがって、引用発明１の「スタートスイッチ70の操作にもとづいて、リール31〜33の回転を開始させ、このとき、メイン制御手段1100の遊技結果抽選手段1110により遊技結果が抽選され、停止表示された３個のリール31〜33の図柄の組み合わせが、予め設定された所定の図柄の組み合わせに一致している場合に、予め設定された所定の枚数のメダルを払い出す遊技機」は、本願補正発明の「始動条件の成立により、内部判定を行うとともに図柄の変動及び停止を行い、図柄の組み合わせが所定の態様で停止表示された場合に遊技利益を付与する遊技機」に相当する。 
  
イ　引用発明１の「リールドラム200」と「リールドラム200の外周に設けられ、表面に複数種類の図柄が表示されているリールテープ210」とからなるものは、リールドラム200が円筒状の構造を有していることは明らかであるから、本願補正発明の「円筒状の構造を有し、周面に複数の前記図柄が付されたリール」に相当する。 
  
ウ　引用発明１の「リールドラム200の内部に配置され、前面側に開口して形成されるハウジング300であって、図柄220の間隔に合わせてハウジング300内を仕切って形成した各区画室301〜303内に配置され、各図柄220を個別に照明可能な複数行及び複数列から構成された発光素子320」は、ハウジング300が前面側に開口して形成されることから各区画室301〜303が前面側に図柄220の間隔に合わせた開口を有しその開口から各図柄220を個別に照明可能であることは明らかであるから、本願補正発明の「前記リールの内部に配置されるハウジングであって、１つの前記図柄の範囲に対応する大きさの開口が形成されたハウジングの内部に配置され、前記開口から前記図柄に光を照射する複数の発光素子」に相当する。 
エ　引用発明１の「複数行及び複数列の発光素子を個別に点灯制御可能な発光制御手段1240」は、本願補正発明の「前記発光素子の発光を制御する発光制御手段」に相当する。 
  
オ　引用発明１の「発光素子320の全て」が本願補正発明１の「前記複数の発光素子のうち第１のグループに含まれる発光素子」といえるから、引用発明１の「発光素子320の全てが点灯」することは、本願補正発明の「前記複数の発光素子のうち第１のグループに含まれる発光素子が発光を行う第１の発光形態」に相当する。
　また、引用発明１の「「７」図柄の星形の発光部240〜247の裏側に位置する発光素子320」が本願補正発明の「前記複数の発光素子のうち第２のグループに含まれる発光素子」といえ、引用発明１の「まず、発光部240の裏側に位置する発光素子320を点灯し、次に発光部240の裏側に位置する発光素子320の消灯と同時に発光部241の裏側に位置する発光素子320を点灯し、次に発光部241の裏側に位置する発光素子320の消灯と同時に発光部243の裏側に位置する発光素子320を点灯させる等、発光部240〜247の裏側に位置する発光素子320の点灯・消灯を一方向に順番に行う制御により、星が時計回りに円を描くように回転しているように見せる」ことが本願補正発明の「所定の条件を満たすように発光態様を変化させる」といえるから、引用発明１の「「７」図柄の星形の発光部240〜247の裏側に位置する発光素子320のうち、まず、発光部240の裏側に位置する発光素子320を点灯し、次に発光部240の裏側に位置する発光素子320の消灯と同時に発光部241の裏側に位置する発光素子320を点灯し、次に発光部241の裏側に位置する発光素子320の消灯と同時に発光部243の裏側に位置する発光素子320を点灯させる等、発光部240〜247の裏側に位置する発光素子320の点灯・消灯を一方向に順番に行う制御により、星が時計回りに円を描くように回転しているように見せる」ことは、本願補正発明の「前記複数の発光素子のうち第２のグループに含まれる発光素子が所定の条件を満たすように発光態様を変化させる第２の発光形態」に相当する。
　さらに、引用発明１の「「７」図柄が停止表示された場合」が本願補正発明の「前記リールに付された図柄のうち少なくとも所定の図柄が停止表示されることに基づいて」に相当し、また、引用発明１は「「７」図柄の星形の発光部240〜247の裏側に位置する発光素子320」「の点灯・消灯を一方向に順番に行う制御により、星が時計回りに円を描くように回転しているように見せる」のであるから発光素子320の発光形態によって「７」図柄に光を照射させるものであることは明らかであり、引用発明１も本願補正発明のように「前記第２の発光形態によって前記所定の図柄に光を照射させる演出をおこなう」ものといえる。
　そして、これら引用発明１の発光素子320の点灯・消灯の制御を発光制御手段1240が行うことは明らかである。
　したがって、引用発明１の「発光制御手段1240」が「メダルが投入されると、発光素子320の全てが点灯し、「７」図柄が停止表示された場合は、一旦全ての発光素子320を消灯した後、「７」図柄の星形の発光部240〜247の裏側に位置する発光素子320のうち、まず、発光部240の裏側に位置する発光素子320を点灯し、次に発光部240の裏側に位置する発光素子320の消灯と同時に発光部241の裏側に位置する発光素子320を点灯し、次に発光部241の裏側に位置する発光素子320の消灯と同時に発光部243の裏側に位置する発光素子320を点灯させる等、発光部240〜247の裏側に位置する発光素子320の点灯・消灯を一方向に順番に行う制御により、星が時計回りに円を描くように回転しているように見せる」ように制御を行うことは、本願補正発明の「前記発光制御手段は、前記複数の発光素子のうち第１のグループに含まれる発光素子が発光を行う第１の発光形態と、前記複数の発光素子のうち第２のグループに含まれる発光素子が所定の条件を満たすように発光態様を変化させる第２の発光形態と、にて発光の制御が可能であり、前記リールに付された図柄のうち少なくとも所定の図柄が停止表示されることに基づいて、前記第２の発光形態によって前記所定の図柄に光を照射させる演出をおこなう」ことに相当する。 
  
　そうすると、上記ア〜オの対比から、両者は、  
「始動条件の成立により、内部判定を行うとともに図柄の変動及び停止を行い、図柄の組み合わせが所定の態様で停止表示された場合に遊技利益を付与する遊技機において、
　円筒状の構造を有し、周面に複数の前記図柄が付されたリールと、
　前記リールの内部に配置されるハウジングであって、１つの前記図柄の範囲に対応する大きさの開口が形成されたハウジングの内部に配置され、前記開口から前記図柄に光を照射する複数の発光素子と、
　前記発光素子の発光を制御する発光制御手段と、を備え、
　前記発光制御手段は、前記複数の発光素子のうち第１のグループに含まれる発光素子が発光を行う第１の発光形態と、前記複数の発光素子のうち第２のグループに含まれる発光素子が所定の条件を満たすように発光態様を変化させる第２の発光形態と、にて発光の制御が可能であり、前記リールに付された図柄のうち少なくとも所定の図柄が停止表示されることに基づいて、前記第２の発光形態によって前記所定の図柄に光を照射させる演出をおこなう
　遊技機。」 
である点で一致し、相違点はない。
　したがって、本願補正発明は、引用発明１と一致するから、刊行物１に記載された発明である。
　また、仮に、上記ア〜オの対比において、相違点があったとしても、本願補正発明は引用発明１から容易に発明をすることができたものである。
  
（４）小括 
　よって、本願補正発明は、刊行物１に記載された発明であり、また、仮に、刊行物１に記載された発明でないとしても、当業者が刊行物１に記載された発明に基づいて容易に発明をすることができたものであるから、特許法第２９条第１項第３号又は第２項の規定に基づいて特許出願の際独立して特許を受けることができない。。 
  
４．むすび 
　以上より、本件補正は、特許法第１７条の２第６項で準用する同法第１２６条第７項の規定に違反するので、同法第１５９条第１項で読み替えて準用する同法第５３条第１項の規定により却下すべきものである。
  
第３　本願発明について
１．本願発明 
　本件補正は、上記のとおり却下されたので、本願の請求項１に係る発明（以下、「本願発明」という。）は、平成２７年７月２４日付けの手続補正書により補正された、上記第２の１．で示した特許請求の範囲の補正前の請求項１に記載されたとおりのものである。 
  
２．刊行物に記載された事項 
　原査定の拒絶理由に引用された本願の出願前に頒布された刊行物である特開平８−２８０８７２号公報（以下、「刊行物２」という。）には、図面と共に次の事項が記載されている。 
  
ア　「【０００１】
【産業上の利用分野】本発明は、マイクロコンピュータ（以下、マイコンという）等の制御装置を用いて遊技態様を制御する遊技機に関し、特に複数の図柄（シンボル）を可変表示する可変表示部として、機械的に回転駆動されるリールから成る機械的表示手段或いは液晶、ＬＥＤ、ＣＲＴ等の電気的表示手段を備えたスロットマシン、パチンコ機その他の弾球遊技機、ポーカーゲーム機等の
遊技機
  
イ　「【００１９】
【実施例】図１は、実施例のスロットマシンの外観を示す正面斜視図である。このスロットマシン１の本体中央部には、各々の
外周面に複数種類の図柄（以下、シンボルという）から成るシンボル列が描かれた３個のリール２，３，４
ウ　「【００２８】表示窓５，６，７の内側では、図２に示すように、
３つのリール２，３，４の各々に対応して
シンボルの裏側にそれぞれ３個のリールランプ４１を縦方向に配列し
合計９個のランプ４１のうち、上の列のランプを左から順にＷ１，Ｗ２，Ｗ３、中央の列のランプを左から順にＷ４，Ｗ５，Ｗ６、下の列のランプを左から順にＷ７，Ｗ８，Ｗ９とする。これらのランプＷ１〜Ｗ９の点灯・消灯の動作により
デモンストレーションが実行される
エ　「【００４５】一方、
「Ｓ・Ｂゲーム」の発生時には
図９（Ａ）〜図１０（Ｅ）の入賞図柄が並んだラインを示すリールランプ（Ｗ１〜Ｗ９）によるデモンストレーションが行われ
【００４６】詳細には、入賞ライン上に各入賞図柄が並んだ時、下記の表２及び図９（Ａ）〜図１０（Ｅ）に示すように、リールランプ（Ｗ１〜Ｗ９）により、入賞図柄が並んだ入賞ラインに対応したデモンストレーションが行われ（図１６のステップ９）、その後、入賞図柄が並んだ３つのリールランプ（例えばＷ１−Ｗ２−Ｗ３）のみが、点灯と消灯を所定時間（例えば、120 msec）間隔で繰り返す。
【００４７】
【表２】
そして、「Ｓ・Ｂゲーム」そのものの入賞発生を示すものとして、下記の表３及び図１１（Ａ）〜図１２（Ｄ）に示す４つの場合のファンファーレ音の発生及びリールランプ（Ｗ１〜Ｗ９）によるデモンストレーションが実行される。
その後、次のボーナスゲームで
“ＪＡＣ−ＪＡＣ−ＪＡＣ”入賞が発生した時には、図１０（Ｆ）のデモンストレーションが実行される
オ　「【００５２】図５の回路において、
マイコン３０
により動作が制御される
リールランプ４１
カ　「【００６０】上記実施例の回路構成によれば、前述のように
スタートレバー１１が操作されると
リール２，３，４の回転駆動を行わせる一方
乱数発生器３６から１個の乱数をサンプリングし、この乱数について、ＲＯＭ３２内の入賞確率テーブルでどの入賞グループに属するかを判定する
入賞と判定された場合には
入賞の種類に対応したシンボル表示位置にリール２，３，４を停止制御する
と共に
ホッパー４０から所定個数のコインの払出しを行う
キ　「【００７６】次に、上記乱数値の判定結果が“ＮＯ”の場合は、「外れゲーム」のフラグをＲＡＭ３３にセットし（ＳＴ３３）、“ＹＥＳ”の場合は、「ＪＡＣゲーム」（
ＪＡＣ−ＪＡＣ−ＪＡＣが真ん中の入賞ラインに並ぶ
  
ク　図９（Ａ）〜図１０（Ｅ）から、中央ライン、上段ライン、下段ライン、斜め下がりライン及び斜め上がりラインの
いずれのラインに入賞図柄がある場合でも、リールランプＷ１〜Ｗ９のすべてを用いたデモンストレーションが行われる
ケ　図１０（Ｆ）から、
ボーナスゲーム時に入賞図柄（ＪＡＣ）が発生した場合、真ん中の入賞ラインに対応するリールランプＷ４〜Ｗ６のみを用いた、Ｗ６を除く点灯→Ｗ５を除く点灯→Ｗ４を除く点灯→全て点灯というデモンストレーションが行われる
 
　上記記載事項ア〜ケを総合すれば、刊行物２には、次の発明（以下、「引用発明２」という。）が記載されていると認められる。 
「スタートレバー１１が操作されると、リール２，３，４の回転駆動を行わせる一方、乱数発生器３６から１個の乱数をサンプリングし、この乱数について、ＲＯＭ３２内の入賞確率テーブルでどの入賞グループに属するかを判定し、入賞と判定された場合には、入賞の種類に対応したシンボル表示位置にリール２，３，４を停止制御すると共に、ホッパー４０から所定個数のコインの払出しを行う（【００６０】）遊技機（【０００１】）において、
　外周面に複数種類の図柄から成る図柄列が描かれた３個のリール２，３，４（【００１９】）と、
　３つのリール２，３，４の各々に対応して、図柄の裏側に縦方向に配列された３個のリールランプ４１（【００２８】）と、
　リールランプ４１の動作を制御するマイコン３０（【００５２】）と、を備え、
　合計９個のランプ４１のうち、上の列のランプを左から順にＷ１，Ｗ２，Ｗ３、中央の列のランプを左から順にＷ４，Ｗ５，Ｗ６、下の列のランプを左から順にＷ７，Ｗ８，Ｗ９とし、これらのランプＷ１〜Ｗ９の点灯・消灯の動作により、デモンストレーションが実行される（【００２８】）ものであり、
　「Ｓ・Ｂゲーム」の発生時には、リールランプＷ１〜Ｗ９のすべてを用いたデモンストレーションが行われ（【００４５】、ク）、
　次のボーナスゲームで“ＪＡＣ−ＪＡＣ−ＪＡＣ”が真ん中の入賞ラインに並ぶ（【００７６】）“ＪＡＣ−ＪＡＣ−ＪＡＣ”入賞が発生した時には、真ん中の入賞ラインに対応するリールランプＷ４〜Ｗ６のみを用いた、Ｗ６を除く点灯→Ｗ５を除く点灯→Ｗ４を除く点灯→全て点灯というデモンストレーションが行われる（【００４７】、ケ）
　遊技機（【０００１】）。」
３．対比・判断 
　本願発明と引用発明２とを対比する。 
ア　引用発明２の「スタートレバー１１が操作される」こと、「乱数発生器３６から１個の乱数をサンプリングし、この乱数について、ＲＯＭ３２内の入賞確率テーブルでどの入賞グループに属するかを判定」すること及び「ホッパー４０から所定個数のコインの払出しを行う」ことがそれぞれ、本願発明の「始動条件の成立」、「内部判定」及び「遊技利益を付与する」ことに相当する。
　また、引用発明２の「外周面に複数種類の図柄から成る図柄列が描かれた３個の」「リール２，３，４の回転駆動を行わせ」「リール２，３，４を停止制御する」ことは、本願発明の「図柄の変動及び停止を行」うことに相当する。
　さらに、引用発明２の「入賞の種類に対応した図柄表示位置にリール２，３，４を停止制御する」ことは、本願発明の「図柄の組み合わせが所定の態様で停止表示された場合」に相当する。
　したがって、引用発明２の「スタートレバー１１が操作されると、リール２，３，４の回転駆動を行わせる一方、乱数発生器３６から１個の乱数をサンプリングし、この乱数について、ＲＯＭ３２内の入賞確率テーブルでどの入賞グループに属するかを判定し、入賞と判定された場合には、入賞の種類に対応した図柄表示位置にリール２，３，４を停止制御すると共に、ホッパー４０から所定個数のコインの払出しを行う遊技機」は、本願発明の「始動条件の成立により、内部判定を行うとともに図柄の変動及び停止を行い、図柄の組み合わせが所定の態様で停止表示された場合に遊技利益を付与する遊技機」に相当する。 
  
イ　引用発明２の「外周面に複数種類の図柄から成る図柄列が描かれた３個のリール２，３，４」は、円筒状の構造を有していることは明らかであるから、本願発明の「円筒状の構造を有し、周面に複数の前記図柄が付されたリール」に相当する。 
  
ウ　引用発明２の「３つのリール２，３，４の各々に対応して、図柄の裏側に縦方向に配列された３個のリールランプ４１」は、リールの内部に配置され、図柄に光を照射するものであることは明らかであるから、本願発明の「前記リールの内部に配置され、前記図柄に光を照射する複数の発光素子」に相当する。 
  
エ　引用発明２の「リールランプ４１の動作を制御するマイコン３０」は、本願発明の「前記発光素子の発光を制御する発光制御手段」に相当する。 
  
オ　引用発明２の「リールランプＷ１〜Ｗ９のすべて」が本願発明の「前記複数の発光素子のうち第１のグループに含まれる発光素子」といえるから、引用発明２の「「Ｓ・Ｂゲーム」の発生時には、リールランプＷ１〜Ｗ９のすべてを用いたデモンストレーション」は、本願発明の「前記複数の発光素子のうち第１のグループに含まれる発光素子が発光を行う第１の発光形態」に相当する。
　また、引用発明２の「真ん中の入賞ラインに対応するリールランプＷ４〜Ｗ６」が本願発明の「前記複数の発光素子のうち第２のグループに含まれる発光素子」といえ、引用発明２の「リールランプＷ４〜Ｗ６のみを用いた、Ｗ６を除く点灯→Ｗ５を除く点灯→Ｗ４を除く点灯→全て点灯というデモンストレーションが行われる」ことが本願発明の「所定の条件を満たすように発光態様を変化させる」といえるから、引用発明２の「次のボーナスゲームで“ＪＡＣ−ＪＡＣ−ＪＡＣ”が真ん中の入賞ラインに並ぶ“ＪＡＣ−ＪＡＣ−ＪＡＣ”入賞が発生した時には、真ん中の入賞ラインに対応するリールランプＷ４〜Ｗ６のみを用いた、Ｗ６を除く点灯→Ｗ５を除く点灯→Ｗ４を除く点灯→全て点灯というデモンストレーション」は、本願発明の「前記複数の発光素子のうち第２のグループに含まれる発光素子が所定の条件を満たすように発光態様を変化させる第２の発光形態」に相当する。
　さらに、引用発明２の「“ＪＡＣ−ＪＡＣ−ＪＡＣ”が真ん中の入賞ラインに並ぶ“ＪＡＣ−ＪＡＣ−ＪＡＣ”入賞が発生した時には」が本願発明の「前記リールに付された図柄のうち少なくとも所定の図柄が停止表示されることに基づいて」に相当し、また、引用発明２は「真ん中の入賞ラインに対応するリールランプＷ４〜Ｗ６のみを用いた、Ｗ６を除く点灯→Ｗ５を除く点灯→Ｗ４を除く点灯→全て点灯というデモンストレーションが行われる」のであるから、リールランプＷ４〜Ｗ６の発光形態によって真ん中の入賞ラインに並ぶ“ＪＡＣ−ＪＡＣ−ＪＡＣ”図柄に光を照射させるものであることは明らかであり、引用発明２も本願発明のように「前記第２の発光形態によって前記所定の図柄に光を照射させる演出をおこなう」ものといえる。
　そして、引用発明２のデモンストレーションにおけるリールランプＷ１〜Ｗ９の動作の制御を「マイコン３０」が行うことは明らかである。
　したがって、引用発明２の「マイコン３０」が「「Ｓ・Ｂゲーム」の発生時には、リールランプＷ１〜Ｗ９のすべてを用いたデモンストレーション」を行い、「次のボーナスゲームで“ＪＡＣ−ＪＡＣ−ＪＡＣ”が真ん中の入賞ラインに並ぶ“ＪＡＣ−ＪＡＣ−ＪＡＣ”入賞が発生した時には、真ん中の入賞ラインに対応するリールランプＷ４〜Ｗ６のみを用いた、Ｗ６を除く点灯→Ｗ５を除く点灯→Ｗ４を除く点灯→全て点灯というデモンストレーション」を行うことは、本願発明の「前記発光制御手段は、前記複数の発光素子のうち第１のグループに含まれる発光素子が発光を行う第１の発光形態と、前記複数の発光素子のうち第２のグループに含まれる発光素子が所定の条件を満たすように発光態様を変化させる第２の発光形態と、にて発光の制御が可能であり、前記リールに付された図柄のうち少なくとも所定の図柄が停止表示されることに基づいて、前記第２の発光形態によって前記所定の図柄に光を照射させる演出をおこなう」ことに相当する。 
  
　そうすると、上記ア〜オの対比から、両者は、
 「始動条件の成立により、内部判定を行うとともに図柄の変動及び停止を行い、図柄の組み合わせが所定の態様で停止表示された場合に遊技利益を付与する遊技機において、
　円筒状の構造を有し、周面に複数の前記図柄が付されたリールと、
　前記リールの内部に配置され、前記図柄に光を照射する複数の発光素子と、
　前記発光素子の発光を制御する発光制御手段と、を備え、
　前記発光制御手段は、前記複数の発光素子のうち第１のグループに含まれる発光素子が発光を行う第１の発光形態と、前記複数の発光素子のうち第２のグループに含まれる発光素子が発光を行う第２の発光形態と、にて発光の制御が可能であり、前記リールに付された図柄のうち少なくとも所定の図柄が停止表示されることに基づいて、前記第２の発光形態によって前記所定の図柄に光を照射させる演出をおこなう
　遊技機。」 
である点で一致し、相違点はない。
　したがって、本願発明は、引用発明２と一致するから、刊行物２に記載された発明である。
　また、仮に、上記ア〜オの対比において、相違点があったとしても、本願発明は引用発明２から容易に発明をすることができたものである。
  
４．むすび 
　以上のとおり、本願発明は、刊行物２に記載された発明であり、また、仮に、刊行物２に記載された発明でないとしても、当業者が刊行物２に記載された発明に基づいて容易に発明をすることができたものであるから、特許法第２９条第１項３号又は第２項の規定により特許を受けることができないものである。
　したがって、本願は拒絶すべきものである。 
　よって、結論のとおり審決する。